(57)【要約】【課題】静止画と音声など複数のファイルから成り立つ画像オブジェクトの管理を容易にする。【解決手段】撮像装置が画像オブジェクトを記録装置に転送する、または記録媒体に記録する際に画像オブジェクトを構成する各ファイルを１つの書庫ファイルに格納し、画像オブジェクトを再生するときは書庫ファイルから必要に応じて各ファイルを取り出す手段を設ける。【選択図】        図１
2004172850.tif 000002
【特許請求の範囲】
【請求項１】
撮像時に生成される１つの画像オブジェクトを構成する複数のファイルを１つの書庫ファイルに変換して格納・記録する手段を有することを特徴とする撮像記録システム。
【請求項２】
上記１において撮像装置と画像記録装置がデジタルインターフェースで接続されている構成において撮像装置から画像記録装置に画像オブジェクトを転送する際に画像記録装置において１つの画像オブジェクトを構成する複数のファイルを１つの書庫ファイルに変換して格納・記録する手段を有することを特徴とする撮像記録システム。
【請求項３】
上記１において撮像装置が記録媒体と書庫ファイル変換手段を備え、撮像時に１つの画像オブジェクトを構成する複数のファイルを１つの書庫ファイルに変換して格納・記録する手段を有することを特徴とする撮像記録システム。
【請求項４】
撮像時に生成される１つの画像オブジェクトを構成する複数のファイルを１つの書庫ファイルに変換して格納・記録することを特徴とする撮像記録方法。
【請求項５】
上記４において撮像装置と画像記録装置がデジタルインターフェースで接続されている構成において撮像装置から画像記録装置に画像オブジェクトを転送する際に画像記録装置において１つの画像オブジェクトを構成する複数のファイルを１つの書庫ファイルに変換して格納・記録することを特徴とする撮像記録方法。
【請求項６】
上記４において撮像装置が記録媒体と書庫ファイル変換手段を備え、撮像時に１つの画像オブジェクトを構成する複数のファイルを１つの書庫ファイルに変換して格納・記録することを特徴とする撮像記録方法。
【請求項７】
撮像時に生成される１つの画像オブジェクトを構成する複数のファイルを１つの書庫ファイルに変換して格納・記録することを特徴とする撮像記録プログラムを記録した媒体。
【請求項８】
上記４において撮像装置と画像記録装置がデジタルインターフェースで接続されている構成において撮像装置から画像記録装置に画像オブジェクトを転送する際に画像記録装置において１つの画像オブジェクトを構成する複数のファイルを１つの書庫ファイルに変換して格納・記録することを特徴とする撮像記録プログラムを記録した媒体。
【請求項９】
上記４において撮像装置が記録媒体と書庫ファイル変換手段を備え、撮像時に１つの画像オブジェクトを構成する複数のファイルを１つの書庫ファイルに変換して格納・記録することを特徴とする撮像記録プログラムを記録した媒体。
【発明の詳細な説明】
【０００１】
【発明の属する技術分野】
本発明は撮影した画像をファイルとしてデジタル記録する撮像装置、および撮像装置から転送された画像を記憶する画像記憶装置が接続されたシステムに関するものである。
【０００２】
【従来の技術】
図４は従来の撮像装置および画像記憶装置の構成を示す図である。図４において１０１は画像記憶装置であり、１０２は画像記憶装置の中でデジタルデータを転送するためのデジタルバス、１０３は他の装置との間でデジタルデータを送受信するためのデジタルインターフェース、１０４は画像記憶装置１０１の動作を制御するための画像記憶装置制御ＣＰＵ，１０５は制御プログラムやデータを一時的に記憶するためのＲＡＭ、１０６は制御プログラムやデータを恒久的に記憶するための記録媒体である。１０７は撮像装置であり、１０８は撮像装置が他の装置との間でデータを送受信するためのデジタルインターフェース、１０９は撮像装置１０７の動作を制御するための撮像装置制御ＣＰＵ、１１０は制御プログラムやデータを一時的に記憶するためのＲＡＭ、１１１はデータを恒久的に記憶するための記録媒体、１１２は図示しない撮像レンズによって投影された光学像を図示しない撮像素子によって電気的データに変換し、さらに図示しないＡＤ変換器によって電気的データをデジタルデータに変換し、デジタルバス１１３を介してＲＡＭ１１０に記憶する撮像手段である。１１４は撮像した画像データに注釈情報としてテキスト情報を入力するためのテキスト入力手段、１１５は撮像した画像データに注釈情報として音声情報を入力するための音声入力手段である。
【０００３】
図５は撮像装置１０７が生成する画像オブジェクトのファイル構成を示す図である。図５では例として撮像装置１０７が記録媒体１１１に３個の画像オブジェクトを記録した場合のファイル構成を示している。２０１は画像オブジェクト１であり、サムネイル（縮小画像）ファイル２０２と主画像ファイル２０３と音声メモファイル２０４とテキストメモファイル２０５の４つのファイルから構成されている。これらのファイルにはファイル番号として同一の番号が付与されており、同一番号が付与されたファイル群は１つの画像オブジェクトとして認識される。２０６は画像オブジェクト−２であり、サムネイルファイル２０７と主画像ファイル２０８とから構成される。２０９は画像オブジェクト３であり、主画像ファイル２１０と音声メモファイル２１１から構成される。
【０００４】
図６は画像記憶装置１０１が撮像装置１０７から１つの画像オブジェクトを取得し、記録するシークエンスを示すフローチャートである。ステップＳ１０１で取得のシークエンスが開始されるとステップＳ１０２で撮像装置１０７から主画像ファイルを取得し、ステップＳ１０３で記録媒体１０６に主画像ファイルを記録する。次にステップＳ１０４で画像オブジェクトを構成する関連ファイルがあるかどうかを判断し、ある場合はステップＳ１０５で関連ファイルを取得し、ステップＳ１０６で関連ファイルを記録し、ステップＳ１０４に戻る。ステップＳ１０４で関連ファイルがないと判断されたときはステップＳ１０７で１つの画像オブジェクトの取得を終了する。
【０００５】
【発明が解決しようとする課題】
このように従来の撮像装置では画像オブジェクトを構成する個々のファイル群を画像記憶装置がやはり個々のファイル群として取得し、記録媒体に記録管理していたがそのために課題が発生していた。画像記録装置はパーソナルコンピュータのような汎用的な装置上で画像管理プログラムを動作させることで実現する例が多い。ところがパーソナルコンピュータでは汎用的なファイル管理プログラムが同時に動作するのが通常であり、汎用的なファイル管理プログラムを用いると１つの画像オブジェクトを構成する各ファイルに対して個別に消去、移動などの操作が可能である。しかしながら汎用的なファイル管理プログラムを用いて画像オブジェクトを構成するファイルを個別に操作すると、サムネイルファイルのみ消去してしまい、画像管理プログラムが縮小画像を表示できなくなってしまったり、音声メモファイルのみを消去してしまい、画像管理プログラムで音声メモの再生ができなくなってしまうなどの問題が発生していた。
【０００６】
【課題を解決するための手段】
本発明では画像オブジェクトを構成する各ファイルを１つの書庫ファイルに格納し、書庫ファイルから必要に応じて各ファイルを取り出す手段を設けることによってかかる課題を解決するものである。
【０００７】
【発明の実施の形態】
図１は本発明の第１の実施例である撮像装置と画像記憶装置を示す図であり、画像記憶装置に書庫ファイル変換手段１を設けたところが従来と異なっている。
【０００８】
書庫ファイルとは複数のファイルを１つのファイルにまとめて保管するために考案されたファイル形式で、保管ファイル容量を小さくするために可逆圧縮を施す場合が多い。著名な形式としてはＺＩＰ形式などがある。
【０００９】
図２は書庫ファイル変換手段１によって生成される画像オブジェクト書庫ファイルを示す図であり、２１は画像オブジェクト１（２０１）を書庫ファイルに変換した画像オブジェクト書庫ファイル１である。画像オブジェクト書庫ファイル−１（２１）は書庫ファイル内の管理情報である書庫管理情報２２とサムネイル２３、主画像２４、音声メモ２５、テキストメモ２６から構成される。
【００１０】
図３は画像記憶装置１０１が書庫ファイル変換手段１を用いて記録媒体１１１に１つの画像オブジェクト書庫ファイルを生成する際のシークエンスを示すフローチャートである。ステップＳ１において画像オブジェクト書庫ファイルの生成が開始され、ステップＳ２で撮像装置１０７から主画像ファイルを取得する。次にステップＳ３で書庫ファイルを作成する。次にステップＳ４で書庫ファイルに主画像データを追加する。次にステップＳ５で撮像装置１０７に関連データが存在するかどうかを判断し、存在する場合はステップＳ６で関連ファイルを取得し、ステップＳ７で関連データを書庫ファイルに追加し、ステップＳ５に戻る。ステップＳ５で関連ファイルがないと判断されたときはステップＳ８で書庫ファイル管理データを作成し、ステップＳ９で画像オブジェクト書庫ファイルの作成を終了する。
【００１１】
本実施例における画像記録装置においては画像オブジェクトの移動や複製、削除は書庫ファイルの単位で行われる。画像オブジェクトの中の主画像の再生を行う際は、書庫ファイル変換手段が書庫ファイルから主画像データのみを取り出して再生用の一時ファイルを生成し表示する。
【００１２】
（第２の実施例）
図７は本発明の第２の実施例である撮像装置および画像記憶装置を示すものであり、図１と異なる点は撮像装置１０７に書庫ファイル変換手段２を備えた点であり、書庫ファイルの生成を撮像装置の側で行うことに第１の実施例との差異がある。図８は本発明の第２の実施例の動作シークエンスを示す図である。ステップＳ１０において画像の記録シークエンスが開始される。ステップＳ１１で撮影動作が行われ、主画像データが主画像ファイルフォーマットで生成される。次にステップＳ１２で書庫ファイル変換手段２が書庫ファイルを生成する。次にステップＳ１３で書庫ファイル変換手段２はステップＳ１１で生成された主画像データをステップＳ１２で生成した書庫ファイルに追加する。次にステップＳ１４で音声やサムネイルなど関連データを付与すると判断された場合は、ステップＳ１５で関連データの作成を行い、ステップＳ１６で書庫ファイル変換手段２は関連データを書庫ファイルに追加してステップＳ１４の判断ステップに戻る。ステップＳ１４で関連データの付与が不要と判断された場合はステップＳ１７で記録シークエンスを終了する。
【００１３】
【発明の効果】
このように本発明においては複数のファイルから構成される画像オブジェクトが１つの書庫ファイルに格納されて管理されるため、パーソナルコンピュータのような汎用的な装置上で画像管理を行う際に画像オブジェクトを構成する各ファイルに対して汎用的なファイル管理プログラムを用いて個別に移動や消去が行われる危険が無く、常に一括して操作することができるようになり、画像オブジェクトの管理を容易にする効果がある。
【図面の簡単な説明】
【図１】本発明の第１の実施例である撮像装置と画像記憶装置を示す図
【図２】書庫ファイル変換手段１によって生成される画像オブジェクト書庫ファイルを示す図
【図３】画像記憶装置１０１が書庫ファイル変換手段１を用いて記録媒体１１１に１つの画像オブジェクト書庫ファイルを生成する際のシークエンスを示すフローチャート
【図４】従来の撮像装置および画像記憶装置の構成を示す図
【図５】撮像装置１０７が生成する画像オブジェクトのファイル構成を示す図
【図６】画像記憶装置１０１が撮像装置１０７から１つの画像オブジェクトを取得し、記録するシークエンスを示すフローチャート
【図７】本発明の第２の実施例である撮像装置および画像記憶装置の構成を示す図
【図８】本発明の第２の実施例の動作シークエンスを示す図
【図１】
2004172850.tif 000003
【図２】
2004172850.tif 000004
【図３】
2004172850.tif 000005
【図４】
2004172850.tif 000006
【図５】
2004172850.tif 000007
【図６】
2004172850.tif 000008
【図７】
2004172850.tif 000009
【図８】
2004172850.tif 000010